(57)【要約】【課題】陳列物を収容していなくても収容部の形状が適切に保持され、且つ、陳列物を、収容部内で移動することなく陳列することができるハンガーディスプレイを提供すること。【解決手段】本ハンガーディスプレイ１は、主台紙２と側台紙３とから成り、主台紙２は、幅広部分と幅狭部分から成る左右一対の切り込みを有し、前記左右一対の切り込みの外側の部分が、前記幅広部分と前記幅狭部分の境界部にて、前記切り込みに垂直に山折りにされる一方、前記左右一対の切り込みの内側の部分が対応箇所にて谷折りにされることにより収容部５が形成され、側台紙３は主台紙２の左右一対の切り込みの内側の部分の谷折りの両側にまたがって固定される。その結果、主台紙２の谷折りの最大開き角が規制されて収容部５の形状が保持され、また収容部５の左右の側面それぞれの少なくとも一部が塞がれ、陳列物が左右に移動しない。【選択図】図１
2015160074.tif 000002
【特許請求の範囲】
【請求項１】
主台紙と側台紙から成るハンガーディスプレイであって、
主台紙は、幅広の第１部分と幅狭の第２部分から成る左右一対の切り込みを有し、
前記左右一対の切り込みの外側の部分が、前記第１部分と前記第２部分の境界部にて、前記切り込みに垂直に山折りにされる一方、前記左右一対の切り込みの内側の部分が対応箇所にて谷折りにされることにより陳列物収容部が形成され、
側台紙は前記主台紙の前記左右一対の切り込みの内側の部分の前記谷折りの両側にまたがって固定されることにより前記谷折りの最大開き角を規制するとともに、前記陳列物収容部の左右の側面それぞれの少なくとも一部を塞ぐようになっている
ことを特徴とするハンガーディスプレイ。
【請求項２】
前記主台紙及び前記側台紙が縦方向に複数連接していることを特徴とする請求項１に記載のハンガーディスプレイ。
【請求項３】
前記側台紙のうち、前記陳列物収容部の前記左右の側面それぞれの少なくとも一部を塞ぐ部分には、折り曲げることにより前記陳列物収容部を平らにすることができる折り線が設けられていることを特徴とする請求項１又は２に記載のハンガーディスプレイ。
【発明の詳細な説明】
【技術分野】
【０００１】
本発明は、複数の商品（陳列物）を収納し、吊り下げて陳列することができるハンガーディスプレイ（陳列枠）に関する。
【背景技術】
【０００２】
店舗内の陳列棚の側面や壁等の任意の場所に商品を吊り下げて陳列するための陳列枠として、しばしば、特許文献１に記載のような、１枚の厚紙（台紙）から作製されたものが使用される（図６）。図６の陳列枠２０１では、１枚の縦長の台紙に、左右一対の、両者の間の幅が広い部分と狭い部分から成る段差状の切り込み２１２、２１３が縦方向に複数設けられており、該左右一対の切り込みの外側の部分２２５、２２６を、段差箇所で該切り込みに垂直に山折りとし、内側の部分２２１、２２２を対応箇所で谷折りとして直方体状の収納部（商品保持部）２１０を形成するように組み立てる。
【０００３】
特許文献１では、この陳列枠２０１は図６に示すように階段状になっているが、これは下端を床等で支えた場合に保持される姿勢であり、この陳列枠２０１を上部の吊り紐だけで吊り下げた場合、図８に示すように鉛直に垂下する。この場合、図６で示されるように、商品保持部２１０に丁度収まり、少し上部がはみ出るような商品２５０が収容されているときには商品保持部２１０の形状が安定する（図６中では、商品２５０を点線で示す。商品２５０を図７(a)に示す。）が、商品２５０が収容されていない場合や、例えば図７(b)に示すように商品２６０の厚みが小さい場合若しくは図７(c)に示すように商品２７０の高さが低い場合、商品保持部２１０の直方体形状が固定化されない。その結果、陳列枠２０１自身の下方部分の重量や下方部分に収容された商品の重量により商品保持部２１０の形状がゆがみ、陳列枠２０１を適切な形態で展示することができない。
【０００４】
商品保持部の形状を維持するために、特許文献１には、更に、外側の部分３２６の外側に突出する側面片３３０を設け、外側の部分３２５にこの側面片３３０を係止させる係止部３３６を設けた陳列枠３０１の発明が開示されている（図９）。側面片３３０を係止部３３６に係止することによって、外側の部分３２５、３２６の山折りの折り曲げ角度は所定角度に維持されるため、商品保持部３１０に収納される商品の形状や大きさにかかわらず、商品保持部３１０の形状は保持される。
【先行技術文献】
【特許文献】
【０００５】
【特許文献１】特開2013-034512号公報
【発明の概要】
【発明が解決しようとする課題】
【０００６】
特許文献１に記載の陳列枠３０１では、商品の形状や大きさにかかわらず商品保持部３１０（図９中で点線で示す。）の形状は保持されるものの、そこに収納される商品は確実に保持されるとは限らない。このような陳列枠により陳列したい商品は、図６や図７(a)に示すように大きな１個の商品である場合もあるが、図７(c)に示すように薄い箱状の商品を複数重ねて陳列したい場合も多い。この場合、特許文献１に記載の陳列枠３０１では、図１０(a)に示すように、これら薄い商品３５１を縦に重ねたもの（以下、これを「商品重ね」又は「陳列物重ね」という。）を商品保持部３１０（図１０中で点線で示す。）に収納する場合、それらの高さが商品保持部３１０の高さよりも低いと左右が保持されず、商品３５１の位置が安定しない。図１０(b)に示すように商品重ねを横にして商品保持部３１０に収納しても同様である。図１０(c)に示すように商品重ねの商品３５２の高さが高いものを縦に収納した場合には、商品の両側面が外側の部分３２６の内側３２６ａによって挟まれるため、商品重ねは安定して保持されるものの、陳列枠３０１を、図８に示すように上部の吊り紐で吊り下げると、各商品保持部３１０に収容された商品３５２（図８中で点線で示す。）の正面は下方に向いてしまい、商品（又はそのパッケージ）の正面が購買者に見えにくくなる。
【０００７】
本発明が解決しようとする課題は、陳列物を収容していなくても陳列物収容部の形状が適切に保持され、且つ、厚さが薄い又は高さが低い陳列物を、陳列物収容部内で移動することなく陳列することができる吊り下げ式の陳列枠（ハンガーディスプレイ）を提供することである。
【課題を解決するための手段】
【０００８】
上記課題を解決するために成された本発明は、主台紙と側台紙から成るハンガーディスプレイであって、
主台紙は、幅広の第１部分と幅狭の第２部分から成る左右一対の切り込みを有し、
前記左右一対の切り込みの外側の部分が、前記第１部分と前記第２部分の境界部にて、前記切り込みに垂直に山折りにされる一方、前記左右一対の切り込みの内側の部分が対応箇所にて谷折りにされることにより陳列物収容部が形成され、
側台紙は前記主台紙の前記左右一対の切り込みの内側の部分の前記谷折りの両側にまたがって固定されることにより前記谷折りの最大開き角を規制するとともに、前記陳列物収容部の左右の側面それぞれの少なくとも一部を塞ぐようになっている
ことを特徴とする。
【０００９】
本発明に係るハンガーディスプレイでは、側台紙を主台紙の左右一対の切り込みの内側の部分の谷折りの両側にまたがって、例えば接着剤などで固定することにより、主台紙の内側の部分により形成される陳列物収容部の左右の側面それぞれの少なくとも一部が側台紙によって塞がれる。また、主台紙の左右一対の切り込みの内側の部分の前記谷折りの最大開き角は、このように固定された側台紙によって規制される結果、陳列部収容部の中に陳列物を収容していなくても、陳列物収容部の形状は所定形状に保持される。
また、陳列物収容部の左右の側面それぞれの少なくとも一部が側台紙によって塞がれ、壁が形成されているため、厚さが薄い又は高さが低い陳列物を縦又は横に陳列物収容部に収容しても、陳列物が左右に動くことがなく、安定して保持される。
さらに、薄い陳列物を重ねた陳列物重ねを横置きで収容することができるため、各個の陳列物の面積の大きい部分が上側となり、見る者に陳列物を見え易くすることができるようになる。
【００１０】
前記主台紙及び前記側台紙は縦方向に複数連接していることが望ましい。
【００１１】
この構成によると、１枚の主台紙と１枚の側台紙から、複数の陳列物収容部を縦方向に有するハンガーディスプレイが形成される。すなわち、このハンガーディスプレイでは、１枚の主台紙に左右一対の切り込みが複数あり、陳列物収容部が切り込みの数だけ複数形成される。そして、前記のように、この複数の陳列物収容部の、前記谷折りの最大開き角が１枚の側台紙によって規制されるとともに、各陳列物収容部の左右側面はそれぞれ、該１枚の側台紙によって少なくとも一部が塞がれる。その結果、主台紙から成る陳列物収容部の底面と背面の部分が側台紙によって覆われ補強されるとともに、より多くの陳列物を陳列することが可能となる。
【００１２】
前記側台紙のうち、前記陳列物収容部の前記左右の側面それぞれの少なくとも一部を塞ぐ部分には、折り曲げることにより前記陳列物収容部を平らにすることができる折り線が設けられていることが望ましい。
【００１３】
この構成により、この折り線を谷折り又は山折りに折り曲げて、陳列物収容部を平面状に折り畳むとができる。その結果、本発明に係るハンガーディスプレイを、不使用時にジャバラに折り畳むことができ、コンパクトにできる。
【発明の効果】
【００１４】
以上のように、本発明に係るハンガーディスプレイによると、陳列物を収容していなくても陳列物収容部の形状が適切に保持される。また、厚さが薄い又は高さが低い陳列物を、陳列物収容部内で移動することなく陳列することができるとともに、厚さが薄い陳列物を横に重ねて陳列した場合には、その面積の大きい部分が正面を向くようにすることができる。
【図面の簡単な説明】
【００１５】
【図１】本発明に係るハンガーディスプレイの一実施例を示す概略斜視図。
【図２】同実施例のハンガーディスプレイの主台紙の展開図(a)及び側台紙(b)の展開図。
【図３】同実施例のハンガーディスプレイを吊り下げた壁に垂直な側から見た側面図。
【図４】同実施例のハンガーディスプレイをジャバラに折り畳んだ時の斜視図。
【図５】同実施例のハンガーディスプレイの変形例の主台紙の展開図(a)及び側台紙の展開図(b)、(c)。
【図６】従来の陳列枠の一例を示す斜視図。
【図７】陳列物の一例を示す図。
【図８】従来の陳列枠を、上部に取り付けた吊り紐によって吊り下げた時の状態を示す側面図。
【図９】従来の陳列枠の別の一例を示す斜視図。
【図１０】厚さが薄い又は高さが低い陳列物を重ねた状態を示す斜視図。
【発明を実施するための形態】
【００１６】
（第１実施例）
本発明に係るハンガーディスプレイの一実施例について、図１〜図４を参照しながら説明する。このハンガーディスプレイ１では、複数の陳列物収容部５（以下、単に収容部５と呼ぶ。）は、１枚の主台紙２から形成されており、各収容部５の左右の側面それぞれの一部が、１枚の側台紙３によって塞がれている。主台紙２と側台紙３の材質は特に限定されないが、例えば厚紙や段ボール、プラスチックシートなどが挙げられる。
【００１７】
主台紙２は、図２(a)の展開図に示すように、縦長の矩形形状で、上端の吊り下げ部２８と下端の末端部２９の間が、互いの間に接続部２２を挟んだ4つの等しい長さの収容部５に区分されている。各収容部５には、左右一対の切り込み２１が縦方向に形成されている。左右一対の切り込み２１は段差状になっていて、両切り込み２１間の距離（幅）がｗ１で長さがＬ１である第１部分２１ａと、両切り込み２１間の距離（幅）がｗ２で長さがＬ２である第２部分２１ｂから成る。ここで、ｗ１＞ｗ２である。なお、接続部２２の長さはＬ３である。
【００１８】
主台紙２のうち、左右一対の切り込み２１の外側の部分２７は、第１部分２１ａと第２部分２１ｂの境界２３にて横方向に山折りとし、切り込み２１の開始端２４にて横方向に谷折りとする。これにより、主台紙２の外側には、高さがＬ２＋Ｌ３、奥行きがＬ１の第１階段が形成される。
【００１９】
主台紙２のうち、左右一対の切り込み２１の内側の部分２６は、前記外側の部分２７の山折りの箇所に対応する箇所、すなわち切り込み２１の開始端２４からＬ２の位置３０にて横方向に谷折りとし、切り込み２１の終了端２５にて横方向に山折りとする。これにより、主台紙２の内側には、高さがＬ２＋Ｌ３、奥行きがＬ１の第２階段が形成される。吊り下げ部２８とそれに繋がる最初の収容部５の間も山折りとする。
【００２０】
この第１階段と第２階段によって、幅ｗ１、長さ（奥行き）Ｌ１、高さＬ２の、陳列物を収容するための収容部５が形成される。
【００２１】
側台紙３は、図２(b)の展開図に示すように、縦方向の長さが主台紙２と同じで、横幅がｗ１である長方形の本体部と、該本体部から前記主台紙２の各収容部５に対応する位置で左右にそれぞれ延伸する側面部３３とから成る。
本体部は、主台紙２の各切り込み２１の終了端２５に対応する縦位置から、主台紙２の各切り込み２１の内側の部分２６の谷折り位置３０に対応する縦位置までの底部３１と、谷折り位置３０に対応する縦位置から開始端２４に対応する縦位置までの背面部３２とから成る。側台紙３の両端には、主台紙２の吊り下げ部２８及び末端部２９に対応する位置にそれぞれ吊り下げ部３８及び末端部３９が設けられている。
【００２２】
各側面部３３は、底部３１の側辺３７全体と、主台紙２の内側の部分２６の谷折り位置３０に対応する縦位置にある、長さＬ２の接触辺３６にわたる、ほぼ扇形の形状をしている。接触辺３６からは糊代部３５が突出している。側面部３３のこの扇形の部分には、底部３１の側辺３７と接触辺３６とが成す角度θを二等分した部分に、折り線４１が形成されている。本実施例では、θ＝９０°である。なお、底部３１の側辺３７と接触辺３６とが成す角度θが、後述のように、主台紙２の左右一対の切り込み２１の内側の部分２６の谷折りの最大開き角（第２階段の最大の開き角）となる。
【００２３】
側台紙３の本体部は、底部３１と背面部３２との境界辺３４のうち（図２(b)参照）、主台紙２の切り込み２１の終了端２５に対応する縦位置において山折りにし、それ以外の縦位置において谷折りにする。これにより、側台紙３には、高さＬ２＋Ｌ３、奥行きＬ１の第３階段が形成される。この第３階段は、縦方向にわたって、主台紙２によって形成された第２階段と同じ段状である。吊り下げ部３８とそれに繋がる背面部３２との境界辺においても同様に山折りとする。
【００２４】
側面部３３は、その底部３１の側辺３７及び接触辺３６において谷折りにし、糊代部３５を背面部３２の裏面に配置して接触辺３６を背面部３２の側辺４０と接触させる。この状態で、糊代部３５に塗布した接着剤によって側面部３３を背面部３２に固定する。これにより、側台紙３の、底部３１と背面部３２から形成される第３階段は９０°に保持されると共に、底部３１の側辺３７と背面部３２の側辺４０の間に側面部３３から成る壁が形成される。
【００２５】
この第３階段の上に、収容部５が形成された主台紙２の第２階段を重ね、側台紙３又は主台紙２の適宜の場所（本実施例では、側台紙３の図２(b)の斜線部分）に塗布した接着剤によって、側台紙３と主台紙２を固定する。これによって、主台紙２に形成された第２階段が９０°に保持され、段差が互い違いに形成されている第１階段も略９０°に保持される。つまり、側台紙３によって、主台紙２の左右一対の切り込み２１の内側の部分２６の谷折りの最大開き角及び外側の部分２７の山折りの最大開き角は９０°に規制される。その結果、収容部５は、その中に陳列物を収容していなくても一定の形状に保持される。
また、収容部５の左右側面には、側面部３３から成る扇形の璧が、左右一対の切り込み２１の内側の部分２６の、谷折りとされた第１部分２１ａ部分の両側にまたがって形成される。
さらに、収容部５の第２階段部分が側台紙３の底部３１と背面部３２によって覆われ補強される。
【００２６】
本ハンガーディスプレイ１は、接着固定された主台紙２と側台紙３の吊り下げ部２８、３８に左右一対の穴６１を形成し、この穴６１に通した紐６２を適宜の場所に吊り下げて陳列する。本実施例では、前述のように、主台紙２の吊り下げ部２８と切り込み２１の内側の部分２６の境界、及び側台紙３の吊り下げ部３８と背面部３２の境界は山折りにされているため、ハンガーディスプレイ１は、図３に示すように、収容部５の内側の部分２６の谷折り線部分２６ａが壁面６４に接するように、すなわち収容部５が斜め下方を向いて吊り下がる。
【００２７】
前述のように、このハンガーディスプレイ１には、収容部５の左右側面の一部には側台紙３の側面部３３によって壁が形成されているため、厚さが薄い又は高さが低い陳列物６３を縦又は横に収容部５に収容しても、陳列物６３が左右に動くことがなく、安定して保持される。さらに、図３に示すように、陳列物６３を横に重ねて収容する場合は、各収容部５に収容される各個の陳列物６３の面積の大きい正面が上側となり、見え易くなる。また、この場合、収容された陳列物６３の底面は重力によって収容部５の前方部分に接触して配置されるため、陳列物６３が前後方向に移動することもなくなる。
【００２８】
本実施例のハンガーディスプレイ１は、不使用時には、側面部３３の折り線４１を谷折りに折り曲げて、各収容部５を平らに折り畳むことによって、図４に示すように、全体をジャバラに折り畳み、コンパクトにすることができる。なお、折り線４１を山折りにすることによっても、全体をジャバラに折り畳むことも可能である。
【００２９】
上記実施例は本発明の一例であり、本発明の趣旨の範囲で適宜に変形や修正、追加が許容される。
例えば、図５(b)に示すように、側台紙３ｂの扇形の側面部３３ｂは、背面部３２ｂから横方向に延伸して設けられていてもよい。また、側面部の形状は、収容部の左右の側面のそれぞれの少なくとも一部を塞ぐことができれば扇形に限定されず、図５(c)に示すように、側面部３３ｃが台形の形状であってもよい。この場合、糊代部３５ｃを、主台紙の外側の部分の内側に固定すればよい。或いは、収容部の左右の側面全体を塞ぐ大きさの矩形の形状であってもよい。
また、主台紙は、左右一対の切り込みが形成することができれば、上記実施例のように矩形である必要はなく、例えば図５(a)に示すように、主台紙２ａの左右の両端が縦方向に真っ直ぐでなくてもよい。さらに、左右一対の切り込みは、陳列物を収容部に入れて、その中で移動することなく陳列できれば、必ずしも平行でなくてもよく、例えば、図５(a)に示すように左右一対の切り込みの第２部分２１ｂａの間の幅が徐々に狭くなっていてもよい。
【００３０】
収容部の個数は特に限定されず、１個以上であればよい。
また、側台紙の底部の側辺と接触辺が成す角（図２(b)中のθ）は、上記実施例のように９０°に限定されることはなく、陳列物の形状や陳列の仕方に応じて適宜設定することができる。
さらに、上記実施例では、収容部が全てハンガーディスプレイが紐により吊り下げられている壁面に接するように吊り下げられているが、特許文献１のように収容部が水平に保持されるように配置してもよい。
【符号の説明】
【００３１】
１…ハンガーディスプレイ
２…主台紙
２１…切り込み
２１ａ…第１部分
２１ｂ…第２部分
２２…接続部
２３…第１部分と第２部分の境界
２４…切り込みの開始端
２５…切り込みの終了端
２６…内側の部分
２７…外側の部分
２８…吊り下げ部
２９…末端部
３０…対応箇所
３…側台紙
３１…底部
３２…背面部
３３…側面部
３４…境界辺
３５…糊代部
３６…接触辺
３７…底部の側辺
３８…吊り下げ部
３９…末端部
４０…背面部の側辺
４１…折り線
５…収容部
６１…穴
６２…紐
６３…陳列物
６４…壁面
【図１】
2015160074.tif 000003
【図２】
2015160074.tif 000004
【図３】
2015160074.tif 000005
【図４】
2015160074.tif 000006
【図５】
2015160074.tif 000007
【図６】
2015160074.tif 000008
【図７】
2015160074.tif 000009
【図８】
2015160074.tif 000010
【図９】
2015160074.tif 000011
【図１０】
2015160074.tif 000012